(57)【要約】【課題】運搬やセッティングが容易で、縦回し横回しのいずれの向きでもケーブルを繰り出すことができ、少ないケーブル残量でドラム全体の重量が軽くなっても、確実にドラムを支持することができるケーブルドラム支持具を得る。【解決手段】当接プレート５の中心からケーブルドラム中空心棒の内部空間内に突入し、半径方向に拡開可能なつめを有する拡開把持手段１１を設け、当接プレート５と一緒に回転するようターンテーブル手段７に着脱自在に装着するインサート手段９と、支持プレート６の当接プレート側とは反対側の側面の脚支持部１８に着脱自在に設ける拡張脚手段と、拡開把持手段１１を操作するようターンテーブル手段７に設けた拡開操作手段としての操作ノブ１５Ａ及び拡開把持手段との掛合部１５Ｂとを具える。操作ノブ１５Ａを操作することによりスライド手段１６がスライドしてつめ１０を半径方向に拡開又は収縮させる。【選択図】        図１
2004256185.tif 000002
【特許請求の範囲】
【請求項１】
中空心棒と、この中空心棒の両側の端部に設けた円形のフランジとを有するドラムに巻き付けてケーブルロールを構成したケーブルドラムを回転可能に支持し、布設ケーブルの繰り出しを容易にするケーブルドラム繰り出し支持具において、
前記ケーブルドラムのフランジに当接する当接プレート、及び前記当接プレートを前記インサート手段の中心軸線と同軸状に回転可能に支持する支持プレートよりなるターンテーブル手段と、
前記当接プレートの中心から前記中空心棒の内部空間内に突入し、先端に半径方向に拡開可能で前記中空心棒の内面に掛合するつめを有する拡開把持手段を設け、前記当接プレートと一緒に回転するよう前記ターンテーブル手段に着脱自在に装着するインサート手段と、
この支持プレートの当接プレート側とは反対側の側面の支持部に着脱自在に設ける拡張脚手段と、
前記支持プレートに前記インサート手段の中心軸線と同軸状に支持し、かつ前記支持プレートの当接プレート側の側面で、前記拡開把持手段に掛合する掛合部を有し、前記支持プレートの当接プレート側とは反対側の側面から前記拡開把持手段を操作するよう前記ターンテーブル手段に設けた拡開操作手段と
を具えたことを特徴とするケーブルドラム繰り出し支持具。
【請求項２】
前記当接プレートに、スペーサ手段を設け、このスペーサ手段が前記フランジに当接するものとした請求項１記載のケーブルドラム繰り出し支持具。
【請求項３】
前記拡張脚手段の一方の側面に前記ケーブルドラムのフランジに当接するスペーサ手段を設け、他方の側面に自在キャスターを設けた請求項１又は２記載のケーブルドラム繰り出し支持具。
【請求項４】
前記拡開把持手段は、前記当接プレートに対して固定するガイドバーと、前記ガイドバーに沿って前記当接プレートから離れる方向にばね負荷によって押圧されるつめ支持体と、周方向に等間隔に配置された複数個のつめであって、平素、前記ガイドバーにほぼ平行となるようばね負荷されかつ半径方向外方に拡開可能に前記つめ支持体に回動自在に連結したつめ手段と、前記拡開操作手段と連携動作して前記ガイドバーに沿って摺動自在であり、前記ばね負荷に抗して前記つめ支持体及び前記つめを前記当接プレートに向けて又は半径方向外方に押圧するスライド手段とにより構成した請求項１又は２記載のケーブルドラム繰り出し支持具。
【請求項５】
前記スライド手段は、中空のガイドバー内で同軸状に回転自在に設け、下端で前記拡開操作手段に掛合する螺旋スピンドル手段と、前記中空のガイドバーに嵌挿し、前記中空のガイドバーに設けた長孔から内部の螺旋スピンドルの螺旋溝内に掛合する突起を有し、前記拡開操作手段により前記螺旋スピンドルが前記中空のガイドバー内部で回転するとき前記突起が前記長孔に案内されて前記中空のガイドバーに沿って昇降するスライドとにより構成した請求項４に記載のケーブルドラム繰り出し支持具。
【発明の詳細な説明】
【０００１】
【発明の属する技術分野】
本発明は、中空心棒と、この中空心棒の両側の端部に設けた円形のフランジとを有するドラムに巻き付けてケーブルロールを構成したケーブルドラムを回転可能に支持し、布設ケーブルの繰り出しを容易にするケーブルドラム繰り出し支持具に関するものである。
【０００２】
【従来の技術】
このようなケーブルドラム繰り出し支持具としては、中空心棒内に挿入するスピンドルを有する１対のジャッキによるジャッキ式支持具（例えば、特許文献１参照）や、１対のローラによってケーブルドラムを支持するローラ式支持具（例えば、特許文献２参照）や、ターンテーブル上にケーブルドラムを載置するターンテーブル式支持具（例えば、特許文献３参照）
【０００３】
【特許文献１】
特開２００２‐２４１０５０号公報
【特許文献２】
特開昭５７‐７７１６５号公報
【特許文献３】
特開平６‐５６０５６号公報
【０００４】
【発明が解決しようとする課題】
しかし、これら従来のケーブルドラム繰り出し支持具は、別個のドラム移送装置により、又はケーブルドラムを手で転がして支持具まで運んで支持具にセットする必要がある。
【０００５】
また、ジャッキ式支持具やローラ式支持具は、ドラムを縦回し（水平方向軸線の周りにドラムが垂直平面上で回転する）でしかケーブルの繰り出しを行えず、またターンテーブル式支持具は、ドラムを横回し（垂直軸線の周りにドラムが水平平面上で回転する）でしかケーブルの繰り出しを行えず、作業における多様性に欠ける欠点があった。
【０００６】
更に、残りのケーブルが少なくなってドラム全体が軽量になると、支持具から外れがちであった。
【０００７】
従って、本発明の目的は、運搬やセッティングが容易であり、ドラムを縦回し横回しのいずれの向きでもケーブルを繰り出すことができ、更に、残りのケーブルが少なくなってドラム全体の重量が軽くなっても、支持具からドラムが外れることがなく、確実にドラムを支持することができるケーブルドラム支持具を得るにある。
【０００８】
【課題を解決するための手段】
この目的を達成するため、本発明ケーブルドラム繰り出し支持具は、
前記ケーブルドラムのフランジに当接する当接プレート、及びこの当接プレートを前記インサート手段の中心軸線と同軸状に回転可能に支持する支持プレートよりなるターンテーブル手段と、
前記当接プレートの中心から前記中空心棒の内部空間内に突入し、先端に半径方向に拡開可能で前記中空心棒の内面に掛合するつめを有する拡開把持手段を設け、前記当接プレートと一緒に回転するよう前記ターンテーブル手段に着脱自在に装着するインサート手段と、
この支持プレートの当接プレート側とは反対側の側面の支持部に着脱自在に設ける拡張脚手段と、
前記支持プレートに前記インサート手段の中心軸線と同軸状に支持し、かつ前記支持プレートの当接プレート側の側面で、前記拡開把持手段に掛合する掛合部を有し、前記支持プレートの当接プレート側とは反対側の側面から前記拡開把持手段を操作するよう前記ターンテーブル手段に設けた拡開操作手段と
を具えたことを特徴とする。
【０００９】
本発明ケーブルドラム繰り出し支持具によれば、拡張脚手段及びインサート手段は、ターンテーブル手段に対して着脱自在であるため、分解することにより、小さいスペースに保管し、使用時には拡張脚手段の種類を選択することにより、ケーブルドラムを横置き又は縦置きにして設置する。
【００１０】
本発明の好適な実施例においては、当接プレートに、スペーサ手段を設け、このスペーサ手段が前記フランジに当接するものとする。更に、拡張脚手段の一方の側面に前記ケーブルドラムのフランジに当接するスペーサ手段を設け、他方の側面に自在キャスターを設けると、拡張脚手段は装着の向きを変えることによって、設置用及び運搬用として機能することができる。
【００１１】
また、本発明の好適な実施例においては、拡開把持手段は、前記当接プレートに対して固定するガイドバーと、前記ガイドバーに沿って前記当接プレートから離れる方向にばね負荷によって押圧されるつめ支持体と、周方向に等間隔に配置された複数個のつめであって、平素、前記ガイドバーにほぼ平行となるようばね負荷されかつ半径方向外方に拡開可能に前記つめ支持体に回動自在に連結したつめ手段と、前記拡開操作手段と連携動作して前記ガイドバーに沿って摺動自在であり、前記ばね負荷に抗して前記つめ支持体及び前記つめを前記当接プレートに向けて又は半径方向外方に押圧するスライド手段とにより構成する。この構成によれば、インサート手段はケーブルドラムを内部からしっかりと保持し、ケーブルドラムが軽くなっても、ターンテーブル手段から外れることがなくなる。
【００１２】
更に、本発明の好適な実施例においては、スライド手段は、中空のガイドバー内で同軸状に回転自在に設け、下端で前記拡開操作手段に掛合する螺旋スピンドル手段と、前記中空のガイドバーに嵌挿し、前記中空のガイドバーに設けた長孔から内部の螺旋スピンドルの螺旋溝内に掛合する突起を有し、前記拡開操作手段により前記螺旋スピンドルが前記中空のガイドバー内部で回転するとき前記突起が前記長孔に案内されて前記中空のガイドバーに沿って昇降するスライドとにより構成する。この構成によれば、インサート手段によるケーブルドラムの中空心棒内への確実な装着を迅速に行うことができる。
【００１３】
【発明の実施の形態】
次に、図面につき本発明の好適な実施の形態を説明する。
【００１４】
図１には、本発明による好適な実施の形態としてのケーブルドラム繰り出し支持具１の拡張脚手段２（図４及び図５参照）を除いた本体部分の斜視図を示す。本発明ケーブルドラム繰り出し支持具１は、ケーブルドラム３（図４及び図５参照）のフランジ４に当接する当接プレート５、及び図示しないケーブルドラム３の中心軸線と同軸状に当接プレート５を回転可能に支持する支持プレート６よりなるターンテーブル手段７を有する。当接プレート５には、ケーブルドラム３のフランジ４に実際に掛合し、スペーサ手段としても機能する緩衝パッド８を設ける。
【００１５】
ターンテーブル手段７の中心にはインサート手段９（特に、図３参照）を着脱自在に装着する。このインサート手段９は、当接プレート５の中心からケーブルドラム３（図４及び図５参照）の中空心棒（図示せず）の内部空間内に突入させる。このインサート手段９には、先端に半径方向に拡開可能で中空心棒の内面に掛合するつめ１０を有する拡開把持手段１１を設ける。
【００１６】
拡開把持手段１１は、当接プレート５に対して固定するガイドバー１２と、ガイドバー１２に沿って当接プレート５から離れる方向にばね１３によるばね負荷によって押圧されるつめ支持体１４を有する。ばね１３の下端をばねストッパ１３Ａに衝合させてつめ支持体１４を上方に押圧する。つめ支持体１４には、周方向に等間隔に配置された複数個のつめ１０を、平素、ガイドバー１２にほぼ平行となるようばね負荷されかつ半径方向外方に拡開可能に回動自在に連結する。
【００１７】
更に、拡開把持手段１１には、支持プレートの当接プレート側とは反対側の側面でターンテーブル手段７に設けた拡開操作手段１５の操作と連携動作してガイドバー１２に沿って摺動自在であり、ばね１３のばね力に抗してつめ支持体１４及びつめ１０を当接プレート５に向けて又は半径方向外方に押圧するスライド手段１６を設ける。
【００１８】
図１の（ｂ）に示すように、拡開操作手段１５の操作により拡開把持手段１１を動作させてつめ１０が半径方向に拡開し、ケーブルドラムの中空心棒内にしっかりと摩擦掛合したとき、インサート手段９及び当接プレート５はケーブルドラム３と一緒に支持プレート６に対して回転し、ケーブル１７を繰り出すことができる。
【００１９】
拡開操作手段１５は、支持プレート６の当接プレート５側とは反対側の側面から拡開把持手段１１を操作する操作ノブ１５Ａと、支持プレート６にインサート手段９の中心軸線と同軸状に支持し、かつ支持プレート６の当接プレート５側の側面で、拡開把持手段１１に掛合する掛合部１５Ｂとにより構成する。この掛合部１５Ｂは、例えば、頂面に六角溝孔を形成したヘッド付きボルトとすることができる。
【００２０】
拡張脚手段２は、支持プレート６の当接プレート５側とは反対側の側面の脚支持部１８に着脱自在に設ける横回し用拡張脚１９Ａ（図４参照）又は縦回し用拡張脚１９Ｂとすることができる。これら拡張脚１９Ａ、１９Ｂには、それぞれ表裏をなす面の先端部分に、それぞれ、キャスター２０及び緩衝パッド２１を設ける。
【００２１】
図１に示す実施の形態においては、スライド手段１６は、図２及び図３に示すように、拡開操作手段の掛合部としてのヘッド付きボルト１５Ｂの六角溝孔に嵌合する六角ヘッド２２を有するピン２３と、このピン２３に下端を固定した螺旋スピンドル手段としてのコイルばね２４（図２（ｂ）参照）と、中空のガイドバー１２に設けた長孔２５から内部のコイルばね２４の螺旋溝（螺旋ピッチ空間）内に掛合する突起２６を有するスライド２７とにより構成する。しかし、スライド手段１６は他の形式のものとすることもでき、例えば当接プレート５に対して回転自在に支持したねじスピンドルと、このねじスピンドルに螺合しかつカイドバーに案内されるスライドとにより構成することができる。
【００２２】
図３に示すように、コイルばね２４の下端にピン２３を固定し、ピン２３のフランジ２９と中空のガイドバー１２の頂面２８との間に保持する。ピン２３は、インサート手段９の下端のねじキャップ３０に、ワッシャ３１、及びＣクリップ３２により脱落しないように固定する。
【００２３】
ねじキャップ３０は、当接プレート５に突設したボス３３に固定することによりインサート手段９を当接プレート５に装着することができる。操作ノブ１５Ａは、支持プレート６に対して相対回転可能に保持し、またこの操作ノブ１５Ａに掛合部としてのヘッド付きボルト１５Ｂを固定する。
【００２４】
操作ノブ１５Ａを支持プレート６に対して正逆いずれかの方向に回転させるとき、ヘッド付きボルト１５Ｂは当接プレート５に設けたボス３３内で回転することができる。これにより、このヘッド付きボルト１５Ｂに掛合するピン２３及びコイルばね２４は中空のガイドバー１２内で回転する。このとき、スライド２７に固定しかつコイルばね２４の螺旋溝（螺旋ピッチ空間）内に掛合する突起２６が、ガイドバー１２の長孔２５に案内されてガイドバー１２に沿って昇降することができる。
【００２５】
図３の（ａ）にはスライド２７が上方位置にある状態を示し、図３の（ｂ）には、スライド２７が下方に移動してつめ支持体１４及びつめ１０をそれぞれのばね負荷に抗して、それぞれ下方移動及び半径方向外方に回動した状態を示す。図３の（ｂ）の状態では、つめ１０が図示しないケーブルドラム３の中空心棒の内部空間の壁に掛合し、ケーブルドラム３からケーブル１７を繰り出すとき、インサート手段９及び当接テーブル５はケーブルドラムと一緒に回転し、ケーブル繰り出し作業中に、ケーブルの残りが少なくなってケーブルドラムが軽くなってもドラムが外れるのを確実に防止する。
【００２６】
図４の（ａ）は、本発明によるケーブルドラム繰り出し支持具１をケーブルドラム３に装着し、横回し用の拡張脚１９Ａのキャスター２０を外向きにした状態で拡張脚１９Ａを脚支持部１８に装着した状態を示し、この状態でこれらキャスター２０を地面又は床面上で転がしながら所定場所に容易に移動させることができる。この後、図４の（ｂ）に示すようにキャスター２０がケーブルドラム３のフランジ４に当接し、緩衝パッド２１が外向きになるよう拡張脚１９Ａを脚支持部１８に付け替え、緩衝パッド２１を地面又は床面上に設置することにより、ケーブルドラム繰り出し支持具１を、横回しモードでケーブル繰り出し作業を行うことができる。
【００２７】
図５には、例えば、図４ａの状態でキャスター２０によって移動した後、ケーブルドラム３の両側のフランジ４にそれぞれ装着した本発明ケーブルドラム繰り出し支持具１の支持プレート６における脚支持部１８に縦回し用の拡張脚１９Ｂを装着し、縦回しモードでケーブル繰り出し作業を行う状態を示す。図４及び図５に示すように、ターンテーブル手段７には持ち運びに便利なように、把手３４を設けると好適である。
【００２８】
本発明ケーブルドラム繰り出し支持具によれば、ターンテーブル手段に対してインサート手段及び拡張脚手段が着脱自在の構成であるため、保管及び運搬に便利なように、ケースにコンパクトに仕舞っておくことができ、更に、セッティングが容易となる。
【００２９】
また、本発明ケーブルドラム繰り出し支持具によれば、適切な拡張脚を選択することによって、ドラムを縦回し横回しのいずれの向きでもケーブルを繰り出すことができる。更に、ケーブルドラムの中空心棒内にインサート手段のつめが確実に掛合するため、残りのケーブルが少なくなってドラム全体の重量が軽くなっても、ケーブルドラム繰り出し支持具からドラムが外れることがなく、確実にドラムを支持し、作業を安全に行うことができるようになる。
【図面の簡単な説明】
【図１】本発明による好適な実施の形態としてのケーブルドラム繰り出し支持具の拡張脚手段を除いた本体部分の斜視図である。
【図２】図１に示す本発明の実施の形態における拡開把持手段を示し、（ａ）はガイドバーと、ピンと、コイルばねと、スライドとを示す斜視図、（ｂ）はコイルばねの斜視図である。
【図３】図１に示す本発明の実施の形態におけるインサート手段の示唆を示す説明図であり、（ａ）はつめが非拡開状態である一部断面とする側面図、（ｂ）はつめが拡開した状態の側面図である。
【図４】ケーブルドラムのフランジに装着した状態であり、（ａ）はキャスター移動直前の状態、（ｂ）はケーブル繰り出し作業直前の斜視図である。
【図５】図１に示す本発明の実施の形態であるケーブルドラム繰り出し支持具の縦回しケーブル繰り出し作業中の状態を示す斜視図である。
【符号の説明】
１  ケーブルドラム繰り出し支持具
２  拡張脚手段
３  ケーブルドラム
４  フランジ
５  当接プレート
６  支持プレート
７  ターンテーブル手段
８  緩衝パッド
９  インサート手段
１０  つめ
１１  拡開把持手段
１２  ガイドバー
１３  ばね
１４  つめ支持体
１５  拡開操作手段
１５Ａ  操作ノブ
１５Ｂ  掛合部（ヘッド付きボルト）
１６  スライド手段
１７  ケーブル
１８  脚支持部
１９  横回し用拡張脚
１９Ａ  横回し用拡張脚
１９Ｂ  縦回し用拡張脚
２０  キャスター
２１  緩衝パッド
２２  六角ヘッド
２３  ピン
２４  コイルばね
２５  長孔
２６  突起
２７  スライド
２８  頂面
２９  ピンのフランジ
３０  ねじキャップ
３１  ワッシャ
３２  Ｃクリップ
３３  ボス
３４  把手
【図１】
2004256185.tif 000003
【図２】
2004256185.tif 000004
【図３】
2004256185.tif 000005
【図４】
2004256185.tif 000006
【図５】
2004256185.tif 000007
【手続補正書】
【提出日】平成15年3月10日(2003.3.10)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、中空心棒と、この中空心棒の両側の端部に設けた円形のフランジとを有するドラムに巻き付けてケーブルロールを構成したケーブルドラムを回転可能に支持し、布設ケーブルの繰り出しを容易にするケーブルドラム繰り出し支持具に関するものである。
【０００２】
【従来の技術】
このようなケーブルドラム繰り出し支持具としては、中空心棒内に挿入するスピンドルを有する１対のジャッキによるジャッキ式支持具（例えば、特許文献１参照）や、１対のローラによってケーブルドラムを支持するローラ式支持具（例えば、特許文献２参照）や、ターンテーブル上にケーブルドラムを載置するターンテーブル式支持具（例えば、特許文献３参照）
【０００３】
【特許文献１】
特開２００２‐２４１０５０号公報
【特許文献２】
特開昭５７‐７７１６５号公報
【特許文献３】
特開平６‐５６０５６号公報
【０００４】
【発明が解決しようとする課題】
しかし、これら従来のケーブルドラム繰り出し支持具は、別個のドラム移送装置により、又はケーブルドラムを手で転がして支持具まで運んで支持具にセットする必要がある。
【０００５】
また、ジャッキ式支持具やローラ式支持具は、ドラムを縦回し（水平方向軸線の周りにドラムが垂直平面上で回転する）でしかケーブルの繰り出しを行えず、またターンテーブル式支持具は、ドラムを横回し（垂直軸線の周りにドラムが水平平面上で回転する）でしかケーブルの繰り出しを行えず、作業における多様性に欠ける欠点があった。
【０００６】
更に、残りのケーブルが少なくなってドラム全体が軽量になると、支持具から外れがちであった。
【０００７】
従って、本発明の目的は、運搬やセッティングが容易であり、ドラムを縦回し横回しのいずれの向きでもケーブルを繰り出すことができ、更に、残りのケーブルが少なくなってドラム全体の重量が軽くなっても、支持具からドラムが外れることがなく、確実にドラムを支持することができるケーブルドラム支持具を得るにある。
【０００８】
【課題を解決するための手段】
この目的を達成するため、本発明ケーブルドラム繰り出し支持具は、
前記ケーブルドラムのフランジに当接する当接プレート、及びこの当接プレートを前記インサート手段の中心軸線と同軸状に回転可能に支持する支持プレートよりなるターンテーブル手段と、
前記当接プレートの中心から前記中空心棒の内部空間内に突入し、先端に半径方向に拡開可能で前記中空心棒の内面に掛合するつめを有する拡開把持手段を設け、前記当接プレートと一緒に回転するよう前記ターンテーブル手段に着脱自在に装着するインサート手段と、
この支持プレートの当接プレート側とは反対側の側面の支持部に着脱自在に設ける拡張脚手段と、
前記支持プレートに前記インサート手段の中心軸線と同軸状に支持し、かつ前記支持プレートの当接プレート側の側面で、前記拡開把持手段に掛合する掛合部を有し、前記支持プレートの当接プレート側とは反対側の側面から前記拡開把持手段を操作するよう前記ターンテーブル手段に設けた拡開操作手段と
を具えたことを特徴とする。
【０００９】
本発明ケーブルドラム繰り出し支持具によれば、拡張脚手段及びインサート手段は、ターンテーブル手段に対して着脱自在であるため、分解することにより、小さいスペースに保管し、使用時には拡張脚手段の種類を選択することにより、ケーブルドラムを横置き又は縦置きにして設置する。
【００１０】
本発明の好適な実施例においては、当接プレートに、スペーサ手段を設け、このスペーサ手段が前記フランジに当接するものとする。更に、拡張脚手段の一方の側面に前記ケーブルドラムのフランジに当接するスペーサ手段を設け、他方の側面に自在キャスターを設けると、拡張脚手段は装着の向きを変えることによって、設置用及び運搬用として機能することができる。
【００１１】
また、本発明の好適な実施例においては、拡開把持手段は、前記当接プレートに対して固定するガイドバーと、前記ガイドバーに沿って前記当接プレートから離れる方向にばね負荷によって押圧されるつめ支持体と、周方向に等間隔に配置された複数個のつめであって、平素、前記ガイドバーにほぼ平行となるようばね負荷されかつ半径方向外方に拡開可能に前記つめ支持体に回動自在に連結したつめ手段と、前記拡開操作手段と連携動作して前記ガイドバーに沿って摺動自在であり、前記ばね負荷に抗して前記つめ支持体及び前記つめを前記当接プレートに向けて又は半径方向外方に押圧するスライド手段とにより構成する。この構成によれば、インサート手段はケーブルドラムを内部からしっかりと保持し、ケーブルドラムが軽くなっても、ターンテーブル手段から外れることがなくなる。
【００１２】
更に、本発明の好適な実施例においては、スライド手段は、中空のガイドバー内で同軸状に回転自在に設け、下端で前記拡開操作手段に掛合する螺旋スピンドル手段と、前記中空のガイドバーに嵌挿し、前記中空のガイドバーに設けた長孔から内部の螺旋スピンドルの螺旋溝内に掛合する突起を有し、前記拡開操作手段により前記螺旋スピンドルが前記中空のガイドバー内部で回転するとき前記突起が前記長孔に案内されて前記中空のガイドバーに沿って昇降するスライドとにより構成する。この構成によれば、インサート手段によるケーブルドラムの中空心棒内への確実な装着を迅速に行うことができる。
【００１３】
【発明の実施の形態】
次に、図面につき本発明の好適な実施の形態を説明する。
【００１４】
図１には、本発明による好適な実施の形態としてのケーブルドラム繰り出し支持具１の拡張脚手段２（図４及び図５参照）を除いた本体部分の斜視図を示す。本発明ケーブルドラム繰り出し支持具１は、ケーブルドラム３（図４及び図５参照）のフランジ４に当接する当接プレート５、及び図示しないケーブルドラム３の中心軸線と同軸状に当接プレート５を回転可能に支持する支持プレート６よりなるターンテーブル手段７を有する。当接プレート５には、ケーブルドラム３のフランジ４に実際に掛合し、スペーサ手段としても機能する緩衝パッド８を設ける。
【００１５】
ターンテーブル手段７の中心にはインサート手段９（特に、図３参照）を着脱自在に装着する。このインサート手段９は、当接プレート５の中心からケーブルドラム３（図４及び図５参照）の中空心棒（図示せず）の内部空間内に突入させる。このインサート手段９には、先端に半径方向に拡開可能で中空心棒の内面に掛合するつめ１０を有する拡開把持手段１１を設ける。
【００１６】
拡開把持手段１１は、当接プレート５に対して固定するガイドバー１２と、ガイドバー１２に沿って当接プレート５から離れる方向にばね１３によるばね負荷によって押圧されるつめ支持体１４を有する。ばね１３の下端をばねストッパ１３Ａに衝合させてつめ支持体１４を上方に押圧する。つめ支持体１４には、周方向に等間隔に配置された複数個のつめ１０を、平素、ガイドバー１２にほぼ平行となるようばね負荷されかつ半径方向外方に拡開可能に回動自在に連結する。
【００１７】
更に、拡開把持手段１１には、支持プレートの当接プレート側とは反対側の側面でターンテーブル手段７に設けた拡開操作手段１５の操作と連携動作してガイドバー１２に沿って摺動自在であり、ばね１３のばね力に抗してつめ支持体１４及びつめ１０を当接プレート５に向けて又は半径方向外方に押圧するスライド手段１６を設ける。
【００１８】
図１の（ｂ）に示すように、拡開操作手段１５の操作により拡開把持手段１１を動作させてつめ１０が半径方向に拡開し、ケーブルドラムの中空心棒内にしっかりと摩擦掛合したとき、インサート手段９及び当接プレート５はケーブルドラム３と一緒に支持プレート６に対して回転し、ケーブル１７を繰り出すことができる。
【００１９】
拡開操作手段１５は、支持プレート６の当接プレート５側とは反対側の側面から拡開把持手段１１を操作する操作ノブ１５Ａと、支持プレート６にインサート手段９の中心軸線と同軸状に支持し、かつ支持プレート６の当接プレート５側の側面で、拡開把持手段１１に掛合する掛合部１５Ｂとにより構成する。この掛合部１５Ｂは、例えば、頂面に六角溝孔を形成したヘッド付きボルトとすることができる。
【００２０】
拡張脚手段２は、支持プレート６の当接プレート５側とは反対側の側面の脚支持部１８に着脱自在に設ける横回し用拡張脚１９Ａ（図４参照）又は縦回し用拡張脚１９Ｂとすることができる。これら拡張脚１９Ａ、１９Ｂには、それぞれ表裏をなす面の先端部分に、それぞれ、キャスター２０及び緩衝パッド２１を設ける。
【００２１】
図１に示す実施の形態においては、スライド手段１６は、図２及び図３に示すように、拡開操作手段の掛合部としてのヘッド付きボルト１５Ｂの六角溝孔に嵌合する六角ヘッド２２を有するピン２３と、このピン２３に下端を固定した螺旋スピンドル手段としてのコイルばね２４（図２（ｂ）参照）と、中空のガイドバー１２に設けた長孔２５から内部のコイルばね２４の螺旋溝（螺旋ピッチ空間）内に掛合する突起２６を有するスライド２７とにより構成する。しかし、スライド手段１６は他の形式のものとすることもでき、例えば当接プレート５に対して回転自在に支持したねじスピンドルと、このねじスピンドルに螺合しかつカイドバーに案内されるスライドとにより構成することができる。
【００２２】
図３に示すように、コイルばね２４の下端にピン２３を固定し、ピン２３のフランジ２９と中空のガイドバー１２の頂面２８との間に保持する。ピン２３は、インサート手段９の下端のねじキャップ３０に、ワッシャ３１、及びＣクリップ３２により脱落しないように固定する。
【００２３】
ねじキャップ３０は、当接プレート５に突設したボス３３に固定することによりインサート手段９を当接プレート５に装着することができる。操作ノブ１５Ａは、支持プレート６に対して相対回転可能に保持し、またこの操作ノブ１５Ａに掛合部としてのヘッド付きボルト１５Ｂを固定する。
【００２４】
操作ノブ１５Ａを支持プレート６に対して正逆いずれかの方向に回転させるとき、ヘッド付きボルト１５Ｂは当接プレート５に設けたボス３３内で回転することができる。これにより、このヘッド付きボルト１５Ｂに掛合するピン２３及びコイルばね２４は中空のガイドバー１２内で回転する。このとき、スライド２７に固定しかつコイルばね２４の螺旋溝（螺旋ピッチ空間）内に掛合する突起２６が、ガイドバー１２の長孔２５に案内されてガイドバー１２に沿って昇降することができる。
【００２５】
図３の（ａ）にはスライド２７が上方位置にある状態を示し、図３の（ｂ）には、スライド２７が下方に移動してつめ支持体１４及びつめ１０をそれぞれのばね負荷に抗して、それぞれ下方移動及び半径方向外方に回動した状態を示す。図３の（ｂ）の状態では、つめ１０が図示しないケーブルドラム３の中空心棒の内部空間の壁に掛合し、ケーブルドラム３からケーブル１７を繰り出すとき、インサート手段９及び当接テーブル５はケーブルドラムと一緒に回転し、ケーブル繰り出し作業中に、ケーブルの残りが少なくなってケーブルドラムが軽くなってもドラムが外れるのを確実に防止する。
【００２６】
図４の（ａ）は、本発明によるケーブルドラム繰り出し支持具１をケーブルドラム３に装着し、横回し用の拡張脚１９Ａのキャスター２０を外向きにした状態で拡張脚１９Ａを脚支持部１８に装着した状態を示し、この状態でこれらキャスター２０を地面又は床面上で転がしながら所定場所に容易に移動させることができる。この後、図４の（ｂ）に示すようにキャスター２０がケーブルドラム３のフランジ４に当接し、緩衝パッド２１が外向きになるよう拡張脚１９Ａを脚支持部１８に付け替え、緩衝パッド２１を地面又は床面上に設置することにより、ケーブルドラム繰り出し支持具１を、横回しモードでケーブル繰り出し作業を行うことができる。
【００２７】
図５には、例えば、図４ａの状態でキャスター２０によって移動した後、ケーブルドラム３の両側のフランジ４にそれぞれ装着した本発明ケーブルドラム繰り出し支持具１の支持プレート６における脚支持部１８に縦回し用の拡張脚１９Ｂを装着し、縦回しモードでケーブル繰り出し作業を行う状態を示す。図４及び図５に示すように、ターンテーブル手段７には持ち運びに便利なように、把手３４を設けると好適である。
【００２８】
【発明の効果】
本発明ケーブルドラム繰り出し支持具によれば、ターンテーブル手段に対してインサート手段及び拡張脚手段が着脱自在の構成であるため、保管及び運搬に便利なように、ケースにコンパクトに仕舞っておくことができ、更に、セッティングが容易となる。
【００２９】
また、本発明ケーブルドラム繰り出し支持具によれば、適切な拡張脚を選択することによって、ドラムを縦回し横回しのいずれの向きでもケーブルを繰り出すことができる。更に、ケーブルドラムの中空心棒内にインサート手段のつめが確実に掛合するため、残りのケーブルが少なくなってドラム全体の重量が軽くなっても、ケーブルドラム繰り出し支持具からドラムが外れることがなく、確実にドラムを支持し、作業を安全に行うことができるようになる。